(57)【要約】【課題】利用者により選局された物理チャンネルにて伝送された音声データ等とＶＩＣＳ情報とを同時に受信できる地上デジタル音声放送用受信機を提供する。【解決手段】全ての物理チャンネルにて伝送されるＯＦＤＭ信号を中間周波数信号に変換して出力するダウンコンバータ８と、中間周波数信号に含まれる全てのトランスポートストリームを復調するＯＦＤＭ復調部９と、全てのトランスポートストリームが入力され、利用者により選局された物理チャンネルにより伝送された第１のトランスポートストリームと、予め定められた物理チャンネルにより伝送されるＶＩＣＳ情報が多重された第２のトランスポートストリームとを出力するフィルタ１０と、音声デコード部１３と、ＶＩＣＳデコード部１５とを備える。【選択図】図３
2009027672.tif 000002
【特許請求の範囲】
【請求項１】
全ての物理チャンネルにより伝送されたＯＦＤＭ信号を中間周波数信号に変換して出力するダウンコンバータと、
前記ダウンコンバータにより出力された中間周波数信号に含まれる全てのトランスポートストリームを復調するＯＦＤＭ復調部と、
前記ＯＦＤＭ復調部により復調された全てのトランスポートストリームが入力され、利用者により選局された物理チャンネルにより伝送された第１のトランスポートストリームと、予め定められた物理チャンネルにより伝送されるＶＩＣＳ情報が多重された第２のトランスポートストリームとを出力するフィルタと、
前記フィルタから出力された第１のトランスポートストリームを音声データにデコードする音声デコード部と、
前記フィルタから出力された第２のトランスポートストリームをＶＩＣＳ情報にデコードするＶＩＣＳデコード部とを備えることを特徴とする地上デジタル音声放送用受信機。
【請求項２】
前記地上デジタル音声放送用受信機の位置を検出する位置検出部と、
前記位置検出部により検出された位置においてＶＩＣＳ情報が伝送される物理チャンネルの周波数帯を検索して出力するＶＩＣＳ周波数検索部とをさらに備え、
前記フィルタは、前記ＶＩＣＳ周波数検索部により出力された物理チャンネルの周波数帯によりＶＩＣＳ情報が伝送される物理チャンネルを特定して第２のトランスポートストリームを出力することを特徴とする請求項１に記載の地上デジタル音声放送用受信機。
【請求項３】
前記地上デジタル音声放送用受信機の位置を検出する位置検出部と、
前記位置検出部により検出された位置において受信可能な物理チャンネルの中で最も低い周波数帯に割り当てられた物理チャンネルの中心周波数を検索して出力する送信周波数検索部とをさらに備え、
前記ダウンコンバータは、前記送信周波数検索部により出力された物理チャンネルの中心周波数が所定の中間周波数に変換されるように、ＯＦＤＭ信号を中間周波数信号に変換して出力することを特徴とする請求項１に記載の地上デジタル音声放送用受信機。
【請求項４】
前記ＶＩＣＳデコード部により出力されたＶＩＣＳ情報に含まれる道路交通情報を表示する表示部をさらに備えることを特徴とする請求項１に記載の地上デジタル音声放送用受信機。
【請求項５】
前記表示部に道路交通情報を表示させるための操作部をさらに備え、
前記表示部は、前記操作部が道路交通情報を表示するように操作されたとき、ＶＩＣＳ情報に含まれる道路交通情報を表示することを特徴とする請求項４に記載の地上デジタル音声放送用受信機。
【請求項６】
前記ＶＩＣＳデコード部により出力されたＶＩＣＳ情報に含まれる道路交通情報を音により報知する音声出力部をさらに備えることを特徴とする請求項１に記載の地上デジタル音声放送用受信機。
【請求項７】
全ての物理チャンネルにより伝送されたＯＦＤＭ信号を中間周波数信号に変換して出力するダウンコンバータを備えた地上デジタル音声放送用受信機に用いられる集積回路であって、
前記集積回路は、
前記ダウンコンバータにより出力された中間周波数信号に含まれる全てのトランスポートストリームを復調するＯＦＤＭ復調部と、
前記ＯＦＤＭ復調部により復調された全てのトランスポートストリームが入力され、利用者により選局された物理チャンネルにより伝送された第１のトランスポートストリームと、予め定められた物理チャンネルにより伝送されるＶＩＣＳ情報が多重された第２のトランスポートストリームとを出力するフィルタと、
前記フィルタから出力された第１のトランスポートストリームを音声データにデコードする音声デコード部と、
前記フィルタから出力された第２のトランスポートストリームをＶＩＣＳ情報にデコードするＶＩＣＳデコード部とを備えることを特徴とする集積回路。
【発明の詳細な説明】
【技術分野】
【０００１】
本発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）信号を受信する地上デジタル音声放送用受信機に関する。
【背景技術】
【０００２】
地上デジタル音声放送は、高音質な音声だけでなく、静止画、簡易動画、文字情報、道路交通情報なども提供できる放送であり、社団法人電波産業会により標準規格が策定されている。
【０００３】
地上デジタル音声放送の放送事業者には、所定の周波数帯が物理チャンネルとして割り当てられる。放送事業者が送信する音声データ、映像データおよびその他データ（以下、「音声データ等」）は１つのストリーム（以下、「トランスポートストリーム」）に多重される。その他データとは、音声データおよび映像データ以外の文字情報、道路交通情報などのデータである。トランスポートストリームは物理チャンネルにて伝送されるためにＯＦＤＭ変調された信号（以下「ＯＦＤＭ信号」）に変換され、所定の放送局から送信される。
【０００４】
利用者は、放送事業者に割り当てられたチャンネル番号を指定することで、チャンネル番号に対応する物理チャンネルを選局することができる。チャンネル番号が指定されると、地上デジタル音声放送受信機は、チャンネル番号に対応する物理チャンネルにて伝送されたＯＦＤＭ信号を復調してトランスポートストリームに変換する。復調されたトランスポートストリームは音声データおよび映像データにデコードされる。音声データは音声出力装置へ出力され、映像データは表示装置へ出力される。
【０００５】
従来の地上デジタル音声放送受信機はチューナおよびＯＦＤＭ復調部をそれぞれ１つずつ備える。チューナはミキサおよび局部発振器を備え、利用者により選局された物理チャンネルにより伝送されたＯＦＤＭ信号を中間周波数に変換する。チューナにはアンテナで受信されたＯＦＤＭ信号が入力される。局部発振器は、利用者により選局された物理チャンネルで伝送されたＯＦＤＭ信号を所定の中間周波数信号にダウンコンバートするための局部発振信号を出力する。ＯＦＤＭ信号は、ミキサにより局部発振信号と混合され中間周波数信号に変換される。ＯＦＤＭ復調部はチューナから出力された中間周波数信号を復調してトランスポートストリームを出力する（例えば、非特許文献１、２参照）。
【非特許文献１】社団法人電波産業会「地上デジタル音声放送運用規定  技術資料  ＡＲＩＢ  ＴＲ−Ｂ１３  ２．１版」（第３-７頁）
【非特許文献２】社団法人電波産業会「地上デジタル音声放送用受信装置  標準規格（望ましい仕様）  ＡＲＩＢ  ＴＲ−Ｂ３０  １．２版」（第７頁―第８頁）
【発明の開示】
【発明が解決しようとする課題】
【０００６】
従来の地上デジタル音声放送用受信機により、利用者により選局された物理チャンネルにより伝送された音声データ等と、予め定められた物理チャンネルにより伝送されるＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）（登録商標）情報とを同時に受信する場合を考える。
【０００７】
従来の地上デジタル音声放送用受信機のチューナは、利用者により選局された１つの物理チャンネルにより伝送されたＯＦＤＭ信号を中間周波数信号へ変換するものであった。そのため、従来の地上デジタル音声放送用受信機では、利用者により選局された物理チャンネルとＶＩＣＳ情報が伝送される物理チャンネルとが異なると、利用者により選局された物理チャンネルで伝送された音声データ等とＶＩＣＳ情報とを同時に受信することができないという問題があった。
【０００８】
本発明は、従来の問題を解決するためになされたもので、利用者により選局された物理チャンネルとＶＩＣＳ情報が伝送される物理チャンネルとが異なるときでも、利用者により選局された物理チャンネルで伝送された音声データ等とＶＩＣＳ情報とを同時に受信できる地上デジタル音声放送用受信機を提供することを目的とする。
【課題を解決するための手段】
【０００９】
本発明の地上デジタル音声放送用受信機は、全ての物理チャンネルにより伝送されたＯＦＤＭ信号を中間周波数信号に変換して出力するダウンコンバータと、前記ダウンコンバータにより出力された中間周波数信号に含まれる全てのトランスポートストリームを復調するＯＦＤＭ復調部と、前記ＯＦＤＭ復調部により復調された全てのトランスポートストリームが入力され、利用者により選局された物理チャンネルにより伝送された第１のトランスポートストリームと、予め定められた物理チャンネルにより伝送されるＶＩＣＳ情報が多重された第２のトランスポートストリームとを出力するフィルタと、前記フィルタから出力された第１のトランスポートストリームを音声データにデコードする音声デコード部と、前記フィルタから出力された第２のトランスポートストリームをＶＩＣＳ情報にデコードするＶＩＣＳデコード部とを備える。
【発明の効果】
【００１０】
本発明は、ダウンコンバータが全ての物理チャンネルにて伝送されるＯＦＤＭ信号を中間周波数信号に変換し、ＯＦＤＭ復調部がダウンコンバータにより出力された中間周波数信号に含まれる全てのトランスポートストリームを復調する。また、フィルタがＯＦＤＭ復調部により復調された全てのトランスポートストリームから、利用者により選局された物理チャンネルにより伝送されるトランスポートストリームと、予め定められた物理チャンネルにより伝送されるＶＩＣＳ情報が多重されたトランスポートストリームとを選択する。
【００１１】
以上により、本発明は利用者により選局された物理チャンネルとＶＩＣＳ情報が伝送される物理チャンネルとが異なるときでも、利用者により選局された物理チャンネルで伝送された音声データ等とＶＩＣＳ情報とを同時に受信できるという効果を有する。
【発明を実施するための最良の形態】
【００１２】
以下、本発明の実施の形態について図面を参照して説明する。
【００１３】
図１および図２を用いて地上デジタル音声放送で使用される周波数帯の割り当てと、番組表について説明する。
【００１４】
図１は地上デジタル音声放送で使用される周波数帯の割り当ての一例である。地上デジタル音声放送では変調方式としてＯＦＤＭが用いられる。ＯＦＤＭ信号は、例えば、ＶＨＦ（Ｖｅｒｙ  Ｈｉｇｈ  Ｆｒｅｑｕｅｎｃｙ）帯において４ＭＨｚ帯域を使用して送信される。
【００１５】
図１に示すように、４ＭＨｚ帯域は８個のＯＦＤＭセグメント（セグメント１〜８）に区分される。放送事業者には所定の周波数帯が物理チャンネルとして割り当てられる。物理チャンネルの形式には、１個のＯＦＤＭセグメントを用いる１セグメント形式と、連続する３個のＯＦＤＭセグメントを用いる３セグメント形式とがある。１セグメント形式の物理チャンネルと３セグメント形式の物理チャンネルとは混在可能である。例えば、図１ではセグメント１〜５はそれぞれ１セグメント形式の物理チャンネルとして使用され、セグメント６〜８は３セグメント形式の１つの物理チャンネルとして使用される。以上のように、図１では、４ＭＨｚ帯域は６つの物理チャンネルに区分される。
【００１６】
図２は地上デジタル音声放送における番組表の一例である。セグメント１〜５は、それぞれ１セグメント形式の５つの物理チャンネルとして使用される。５つの物理チャンネルはＡ社〜Ｅ社の５社の放送事業者に割り当てられる。Ａ社〜Ｅ社にはチャンネル番号９１〜９５がそれぞれ割り当てられる。また、セグメント６〜８は３セグメント形式の１つの物理チャンネルとして使用される。この１つの物理チャンネルはＦ社に割り当てられる。Ｆ社にはチャンネル番号９７が割り当てられる。利用者は、放送事業者に割り当てられたチャンネル番号を指定することで、チャンネル番号に対応する物理チャンネルを選局することができる。
【００１７】
地上デジタル音声放送では、音声データおよび映像データとは異なる、文字情報、道路交通情報などのデータも１つの物理チャンネルで伝送されることができる。例えば、チャンネル番号９１では「ニュース」などの番組を送信するための音声データ、映像データ以外に、ＶＩＣＳ情報も多重されて伝送される。
【００１８】
ＶＩＣＳ情報とはＶＩＣＳセンタが収集・編集して送信する情報である。ＶＩＣＳセンタは車両検知器及び遠隔操作カメラ等から得られた情報を収集して編集し、車の運転に必要な情報である道路交通情報を作成する。道路交通情報とは、例えば、渋滞区間および渋滞の程度を表す渋滞情報、事故発生情報、速度規制や車線規制等を表す交通規制情報などの情報である。これら道路交通情報を含んだＶＩＣＳ情報が、ＶＩＣＳセンタから各車両に向けて送信される。ＶＩＣＳ情報が多重されたトランスポートストリームは、予め定められた物理チャンネルにより伝送される。ＶＩＣＳ情報に含まれる道路交通情報は映像情報および音声情報の少なくとも一方で提供される。
【００１９】
次に、図３を用いて本発明の一実施の形態における地上デジタル音声放送用受信機１の構成を説明する。地上デジタル音声放送用受信機１は、ＣＰＵ２と、ＲＯＭ３と、ＲＡＭ４と、ＧＰＳ（Ｇｌｏｂａｌ  Ｐｏｓｉｔｉｏｎｉｎｇ  Ｓｙｓｔｅｍ）機器５と、操作部６と、アンテナ７と、ダウンコンバータ８と、ＯＦＤＭ復調部９と、フィルタ１０と、ＴＳ（Ｔｒａｎｓｐｏｒｔ  Ｓｔｒｅａｍ）デコード部１１、１２と、音声デコード部１３と、映像デコード部１４と、ＶＩＣＳデコード部１５と、音声処理部１６と、音声出力装置１７と、提示処理部１８と、表示装置１９とを備える。
【００２０】
ＣＰＵ２、ＲＯＭ３、ＲＡＭ４、ＧＰＳ機器５、操作部６、ダウンコンバータ８、フィルタ１０、ＶＩＣＳデコード部１５および音声処理部１６は共通のバスに接続されており、データの送受信が可能となっている。
【００２１】
ＣＰＵ２は、ＲＯＭ３に記憶されたプログラムをＲＡＭ４に読み込み、実行することによって各部を制御する。ＧＰＳ機器５はＧＰＳを用いて地上デジタル音声放送用受信機１の現在位置における緯度および経度を検出し、バスを経由して検出した緯度および経度をＣＰＵ２へ送信する。
【００２２】
地域によっては、地上デジタル音声放送によるサービスが提供されていない場合がある。また、地上デジタル音声放送によるサービスが提供されている地域であっても、ＯＦＤＭ信号が伝送される周波数帯が地域により異なる場合もある。そこで、地上デジタル音声放送用受信機１は、ＲＯＭ３に地上デジタル音声放送が受信できる地域と、ＯＦＤＭ信号が送信されている周波数帯に関する情報（以下、「送信周波数情報」）とを互いに関連付けて記憶することで、現在位置において地上デジタル音声放送が受信可能か否かを判断し、また、受信可能な送信周波数情報を検索できるようにする。
【００２３】
図４を用いて、ＲＯＭ３に記憶されるデータについて詳細に説明する。図４に示す「緯度Ａ／経度Ｂ」および「緯度Ａ’／経度Ｂ’」は、地上デジタル音声放送を受信することができるエリア（以下、「受信可能エリア」）を表すデータの一例である。「緯度Ａ／経度Ｂ」および「緯度Ａ’／経度Ｂ’」は、これら２点の位置が対角線上の頂点となる方形状の受信可能エリアを表す。この方形状のエリア内に現在位置があれば、地上デジタル音声放送用受信機１は地上デジタル音声放送を受信することができる。なお、図４では２点の位置で受信可能エリアを表したが、３点以上の緯度および経度で表された位置を頂点とする多角形など、方形状以外の多角形で受信可能エリアを表すこともできる。
【００２４】
また、図４の「送信周波数情報」は受信可能エリアで送信されている、地上デジタル音声放送の周波数帯に関するデータである。例えば、「送信周波数情報」として、受信可能エリアにて送信されているＯＦＤＭ信号が伝送される物理チャンネルの中で、最も低い周波数帯に割り当てられた物理チャンネルの中心周波数が記憶される。
【００２５】
ＣＰＵ２は、ＲＯＭ３に記憶された受信可能エリアを読み出し、現在位置がＲＯＭ３に記憶されたいずれかの受信可能エリア内にある場合は、現在位置で地上デジタル音声放送が受信可能であると判断する。
【００２６】
ＣＰＵ２は、現在位置で地上デジタル音声放送が受信可能であると判断したとき、ＲＯＭ３から受信可能エリアに対応する送信周波数情報を読み出しＲＡＭ４に記憶する。ＲＡＭ４に記憶された送信周波数情報を用いることで、利用者が周波数帯を設定する必要がなく、自動でＯＦＤＭ信号が伝送される周波数帯が設定されるため利便性が高まる。
【００２７】
さらに、ＲＯＭ３にはＶＩＣＳ情報が伝送される物理チャンネルの周波数帯に関する情報（以下、「ＶＩＣＳ周波数情報」）が受信可能エリアに対応付けて記憶される。例えば、ＶＩＣＳ周波数情報としてＶＩＣＳ情報が伝送される物理チャンネルの中心周波数が記憶される。
【００２８】
ＣＰＵ２は、現在位置が受信可能エリア内にあると判断したとき、ＲＯＭ３から受信可能エリアに対応するＶＩＣＳ周波数情報を読み出す。ＣＰＵ２は、ＶＩＣＳ周波数情報が記憶されているときはＶＩＣＳ情報が受信可能であると判断し、ＶＩＣＳ周波数情報が記憶されていないときはＶＩＣＳ情報が受信不可能であると判断する。ＣＰＵ２は、ＶＩＣＳ情報が受信可能であると判断したとき、ＲＯＭ３からＶＩＣＳ周波数情報を読み出してＲＡＭ４に記憶する。ＲＡＭ４に記憶されたＶＩＣＳ周波数情報を用いることで、利用者が周波数帯を設定する必要がなく、自動でＶＩＣＳ情報が伝送される物理チャンネルの周波数帯が設定されるため利便性が高まる。
【００２９】
利用者による物理チャンネルの選局は操作部６により行われる。操作部６は、例えば、ボタン、タッチパネル上の操作キー、音声による入力手段、リモコンなどがある。利用者は操作部６を操作して視聴したい放送事業者のチャンネル番号を指定する。操作部６により指定されたチャンネル番号はバスを経由してＣＰＵ２に送信される。ＣＰＵ２は指定されたチャンネル番号に応じてフィルタ１０の各部を制御する。また、地上デジタル音声放送用受信機１の利用者は操作部６を操作することで、ＶＩＣＳ情報に含まれた道路交通情報を音声および映像で報知するか否かを設定することができる。また、操作部６は地上デジタル音声放送用受信機１の電源をＯＮまたはＯＦＦするときにも用いられる。
【００３０】
アンテナ７により受信されたＯＦＤＭ信号はダウンコンバータ８に入力される。ダウンコンバータ８は、全ての物理チャンネルにて伝送されるＯＦＤＭ信号を中間周波数信号に変換する。例えば、図１のようにＯＦＤＭ信号に６つの物理チャンネルが含まれるとき、ダウンコンバータ８は６つの物理チャンネルにて伝送されるＯＦＤＭ信号を中間周波数信号に変換する。
【００３１】
ダウンコンバータ８は図示しないミキサおよび局部発振器を備える。局部発振器は、ＲＡＭ４に送信周波数情報として記憶された、最も低い周波数帯に割り当てられた物理チャンネルの中心周波数を、所定の中間周波数（例えば、５００ｋHｚ）にダウンコンバートするための局部発振信号を出力する。ミキサは、ＯＦＤＭ信号と局部発振信号とを混合することでＯＦＤＭ信号を中間周波数信号にダウンコンバートする。
【００３２】
ＯＦＤＭ復調部９は中間周波数信号をＯＦＤＭ復調しトランスポートストリームを出力する。ＯＦＤＭ復調とは、中間周波数信号に対し直交復調、ＦＦＴ演算、同期復調、デインターリーブおよびＴＳ再生の処理を行うことをいう。
【００３３】
ＯＦＤＭ復調部９は、ダウンコンバータ８により出力された中間周波数信号に含まれる全てのトランスポートストリームをＯＦＤＭ復調して出力する。
【００３４】
ＯＦＤＭ復調部９により復調された全てのトランスポートストリームは、フィルタ１０に入力される。フィルタ１０は、入力されたトランスポートストリームから、利用者により選局された物理チャンネルにより伝送された第１のトランスポートストリームと、予め定められた物理チャンネルにより伝送されるＶＩＣＳ情報が多重された第２のトランスポートストリームとを選択して出力する。
【００３５】
図５にフィルタ１０の詳細な構成を示す。フィルタ１０はスイッチ２０およびスイッチ２１を備える。スイッチ２０およびスイッチ２１はＯＦＤＭ復調部９が出力するトランスポートストリームを選択するためのものであり、ＣＰＵ２により制御される。
【００３６】
図１０に示すように、ＯＦＤＭ復調部９はセグメント（セグメント１〜８）ごとにトランスポートストリームを出力する。スイッチ２０にはＯＦＤＭ復調部９が出力する全てのトランスポートストリームが入力される。ＣＰＵ２は、操作部６により指定されたチャンネル番号に対応する物理チャンネルで伝送されるトランスポートストリームを選択するようにスイッチ２０を制御する。
【００３７】
例えば、操作部６によりチャンネル番号９１が指定された場合について説明する。図２で示したように、チャンネル番号９１に割り当てられる物理チャンネルは１セグメント形式である。そのため、１つのセグメント（セグメント１）で１つのトランスポートストリームが伝送される。このとき、ＣＰＵ２は、ＯＦＤＭ復調部９の出力のうちセグメント１に対応するトランスポートストリームを選択するようにスイッチ２０を制御する。
【００３８】
次に、操作部６によりチャンネル番号９７が指定された場合について説明する。図２で示したように、チャンネル番号９７に割り当てられる物理チャンネルは３セグメント形式である。そのため、３つのセグメント（セグメント６〜８）で１つのトランスポートストリームが伝送される。このとき、ＣＰＵ２は、ＯＦＤＭ復調部９の出力のうち３つのセグメント（セグメント６〜８）に対応するトランスポートストリームを選択するようにスイッチ２０を制御する。スイッチ２０で選択されたトランスポートストリームは第１のトランスポートストリームとしてＴＳデコード部１１へ出力される。
【００３９】
スイッチ２１には、ＯＦＤＭ復調部９が出力する全てのトランスポートストリームが入力される。ＣＰＵ２は、ＲＡＭ４に記憶されているＶＩＣＳ周波数情報により特定された物理チャンネルで伝送されるトランスポートストリームを選択するようにスイッチ２１を制御する。例えば、チャンネル番号９１に割り当てられる物理チャンネルによりＶＩＣＳ情報が伝送される場合について説明する。図２で示したように、チャンネル番号９１に割り当てられる物理チャンネルはセグメント１を用いる。そのため、ＣＰＵ２は、ＯＦＤＭ復調部９の出力のうちセグメント１に対応するトランスポートストリームを選択するようにスイッチ２１を制御する。スイッチ２１で選択されたトランスポートストリームは、第２のトランスポートストリームとしてＴＳデコード部１２へ出力される。
【００４０】
フィルタ１０から出力された第１のトランスポートストリームはＴＳデコード部１１に入力される。ＴＳデコード部１１は第１のトランスポートストリームから音声ストリームおよび映像ストリームを分離するフィルタリング処理を行う。
【００４１】
音声デコード部１３は、ＴＳデコード部１１によって分離された音声ストリームに音声復号処理を行い音声データに変換する。
【００４２】
映像デコード部１４は、ＴＳデコード部１１によって分離された映像ストリームに映像復号処理を行い動画、静止画などの映像データに変換する。
【００４３】
ＴＳデコード部１２は、第２のトランスポートストリームから、ＶＩＣＳ情報を含むデータストリーム（以下、「ＶＩＣＳストリーム」）を分離するフィルタリング処理を行う。
【００４４】
ＶＩＣＳデコード部１５はＴＳデコード部１２により分離されたＶＩＣＳストリームをデコードしてＶＩＣＳ情報へ出力される。出力されたＶＩＣＳ情報は提示処理部１８へ入力されるとともにＲＡＭ４に記憶される。ＣＰＵ２は、ＶＩＣＳ情報に音声による道路交通情報が含まれている場合は、ＲＡＭ４からＶＩＣＳ情報を読み出し、音声による道路交通情報を音声データに変換してバスを経由して音声処理部１６へ出力する。
【００４５】
図３に示す音声処理部１６、音声出力装置１７、提示処理部１８および表示装置１９について説明する。
【００４６】
音声デコード部１３により出力された音声データは音声処理部１６へ入力される。また、ＣＰＵ２が出力する道路交通情報の音声データも音声処理部１６に入力される。音声処理部１６は、音声デコード部１３により出力された音声データと、道路交通情報の音声データとを合成して音声出力装置１７へ出力する。音声処理部１６は、音声デコード部１３により出力された音声データ、および、道路交通情報の音声データのいずれか一方のしか入力されない場合は、入力されている音声データを音声出力装置１７へ出力する。音声出力装置１７は音声処理部１６により出力された音声データに従って音を出力する。以上により、利用者は音により道路交通情報を把握することができる。
【００４７】
提示処理部１８は、映像デコード部１４により出力された映像データおよびＶＩＣＳデコード部１５によりデコードされたＶＩＣＳ情報に含まれる道路交通情報を、画面の表示領域上のいずれの位置に配置するかを決定する提示処理を行う。提示処理後、提示処理部１８は映像データおよび道路交通情報を合成して表示用データを生成して出力する。
【００４８】
表示装置１９は液晶ディスプレイ等で構成された画面を備える。表示装置１９は提示処理部１８から出力された表示用データを画面に表示する。
【００４９】
次に、図６を用いて本実施の形態における地上デジタル音声放送用受信機１の動作を説明する。
【００５０】
利用者による操作部６の操作により地上デジタル音声放送用受信機１の電源が投入されるまで、ステップＳ０２以降の処理は実行されない（Ｓ０１）。電源が投入されるように操作部６が操作されたとき（Ｓ０１でＹＥＳ）、ＣＰＵ２はＧＰＳ機器５から地上デジタル音声放送用受信機１の現在位置を取得する（Ｓ０２）。また、電源が投入されたとき、ＣＰＵ２はスイッチ２０およびスイッチ２１をすべてＯＦＦにする。
【００５１】
ＣＰＵ２は、ステップＳ０２を終了した後、前述したようにＲＯＭ３にアクセスすることで、地上デジタル音声放送用受信機１の現在位置が地上デジタル音声放送を受信できる場所にあるか否かを判断する（Ｓ０３）。ＣＰＵ２は受信不可（Ｓ０３でＮＯ）と判断すると処理をステップＳ０２に戻す。
【００５２】
ＣＰＵ２は、受信可能（Ｓ０３でＹＥＳ）と判断すると、前述したようにＲＯＭ３から現在位置で受信可能な地上デジタル音声放送の送信周波数情報を読み出してＲＡＭ４に記憶する（Ｓ０４）。ステップＳ０３、Ｓ０４により、利用者自らが地上デジタル音声放送が提供されている送信周波数を設定する必要がなくなり利便性が向上する。
【００５３】
ＣＰＵ２がＳ０４を終了した後、ダウンコンバータ８は全ての物理チャンネルにて伝送されるＯＦＤＭ信号を中間周波数信号に変換する（Ｓ０５）。また、ＯＦＤＭ復調部９は、ダウンコンバータ８により出力された中間周波数信号に含まれる全てのトランスポートストリームをＯＦＤＭ復調する（Ｓ０５）。ＯＦＤＭ復調されたトランスポートストリームはフィルタ１０が備えるスイッチ２０およびスイッチ２１に入力される。
【００５４】
ダウンコンバータ８およびＯＦＤＭ復調部９がステップＳ０５を終了した後、ＣＰＵ２はステップＳ０６〜Ｓ０８とステップＳ０９〜Ｓ１１とを並行して実行する。ステップＳ０６〜Ｓ０８はＶＩＣＳ情報を受信するための処理であり、ステップＳ０９〜Ｓ１１は利用者により選局された物理チャンネルにて伝送された音声データ等を受信するための処理である。
【００５５】
以下、まず、ＶＩＣＳ情報を受信するためのステップＳ０６〜Ｓ０８の処理について説明する。
【００５６】
ダウンコンバータ８およびＯＦＤＭ復調部９がステップＳ０５を終了した後、ＣＰＵ２は、前述したようにＲＯＭ３にアクセスし、ＶＩＣＳ情報が受信可能であるか否かを判断する（Ｓ０６）。
【００５７】
ＣＰＵ２は、ステップＳ０６においてＹＥＳと判断したとき、ＶＩＣＳ情報の受信を行う（Ｓ０７）。ステップＳ０７について、図７のフロー図を用いて詳細に説明する。
【００５８】
ＣＰＵ２は、ステップＳ０６を終了した後、前述のごとく、ＲＯＭ３からＶＩＣＳ周波数情報を読み出してＲＡＭ４に記憶する（Ｓ０７１）。
【００５９】
ステップＳ０７１の次に、ＣＰＵ２は、ＲＡＭ４に記憶されているＶＩＣＳ周波数情報により特定された物理チャンネルで伝送されるトランスポートストリームを選択するようにスイッチ２１を制御する（Ｓ０７２）。ステップＳ０７２により、ＶＩＣＳ情報が多重されたトランスポートストリームがＴＳデコード部１２に入力される。ＴＳデコード部１２は、フィルタ１０から出力されたトランスポートストリームをフィルタリング処理し、ＶＩＣＳストリームを分離する（Ｓ０７３）。
【００６０】
図８を用いてＶＩＣＳストリームを分離するためのフィルタリング処理について説明する。ＶＩＣＳ情報は独自データとして送信されることが想定される。独自データとは非特許文献１、２で示す音声の再生を基本機能とする基本受信機では無視されるように規定されたデータであり、楽曲配信サービスで用いられる楽曲ダウンロードデータ、ブラウザで閲覧させるためのＷｅｂデータなどがある。独自データのファイル種別は、例えば、図８に示す「ｆｉｌｅ＿ｔｙｐｅ＿ｖａｌｕｅ」により識別される。
【００６１】
ＴＳデコード部１２は「ｆｉｌｅ＿ｔｙｐｅ＿ｖａｌｕｅ」が０ｘ０００２〜０ｘ０００ｆであるデータストリームをＶＩＣＳストリームであると判断して分離する。
【００６２】
ＶＩＣＳデコード部１５は、ＴＳデコード部１２により分離されたＶＩＣＳストリームをデコードしてＶＩＣＳ情報を提示処理部１８へ出力する（Ｓ０７４）。
【００６３】
ＣＰＵ２は、ステップＳ０７４を終了した後、処理をステップＳ０９に進める。
【００６４】
ＶＩＣＳ情報が受信できないと判断（Ｓ０６でＮＯ）したとき、ＣＰＵ２はスイッチ２１をＯＦＦにする（Ｓ０８）。
【００６５】
次に、利用者により選局された物理チャンネルにて伝送された音声データ等を受信するためのステップＳ０９〜Ｓ１１の処理について説明する。
【００６６】
ＣＰＵ２は、ステップＳ０５を終了した後、利用者によりチャンネル番号が指定されているか否かを判断する（Ｓ０９）。
【００６７】
利用者によりチャンネル番号が指定されている（Ｓ０９でＹＥＳ）と判断したとき、ＣＰＵ２は利用者により選局された物理チャンネルの受信処理を行う（Ｓ１０）。
【００６８】
ステップＳ１０について図９のフロー図を用いて詳細に説明する。ＣＰＵ２は、前述したように、操作部６により指定されたチャンネル番号に対応する物理チャンネルで伝送されるトランスポートストリームを選択するように、スイッチ２０を制御する（Ｓ１０１）。
【００６９】
ステップＳ１０１の次にＴＳデコード部１１は、フィルタ１０により選択されたトランスポートストリームに対し、音声ストリームおよび映像ストリームを分離するフィルタリング処理を行う（Ｓ１０２）。音声デコード部１３は、分離された音声ストリームに音声復号処理を行い、音声出力装置１７へ音声データを出力する（Ｓ１０３）。また、映像デコード部１４は分離された映像ストリームが存在する（Ｓ１０４でＹＥＳ）とき、映像復号処理を行い映像データを提示処理部１８へ出力する（Ｓ１０５）。
【００７０】
映像デコード部１４により映像ストリームが出力されていない（Ｓ１０４でＮＯ）とき、ＣＰＵ２は処理をステップＳ１２に進める。地上デジタル音声放送は音声を主とした放送であるため、トランスポートストリームに映像ストリームが含まれない場合もある。
【００７１】
ＣＰＵ２は、利用者によりチャンネル番号が指定されていない（Ｓ０９でＮＯ）とき、フィルタ１０のスイッチ２０をＯＦＦにする（Ｓ１１）。
【００７２】
ステップＳ０７、Ｓ０８、Ｓ１０、Ｓ１１のいずれか１つの処理を終了した後、提示処理部１８は映像があるか否かを判断する（Ｓ１２）。映像がある場合とは、ステップＳ０７４でデコードされたＶＩＣＳ情報に映像情報が含まれている場合、および、ステップＳ１０５により映像デコード部１４から映像データが出力されている場合の少なくとも一方の場合である。
【００７３】
なお、ステップＳ０７およびＳ０８のいずれかの処理が終了され、かつ、ステップＳ１０およびＳ１１のいずれかの処理が終了された後に、提示処理部１８はステップＳ１２を実行するようにしてもよい。このようにすることにより、ステップＳ０６〜Ｓ０８とステップＳ０９〜Ｓ１１との同期をとることができる。
【００７４】
提示処理部１８は、映像があると判断（Ｓ１２でＹＥＳ）した場合、ＶＩＣＳ情報に含まれる道路交通情報と、映像デコード部１４から出力された映像データとを提示処理し、表示用データを生成して出力する（Ｓ１３）。なお、提示処理部１８は、ＶＩＣＳ情報に含まれる映像情報、および、映像デコード部１４から出力された映像データのいずれか一方の映像しか入力されない場合は、入力されている映像について提示処理を行う。
【００７５】
提示処理部１８がステップＳ１３を終了した後、表示装置１９は提示処理部１８から出力された表示用データを画面に表示する（Ｓ１４）。
【００７６】
提示処理部１８がステップＳ１２をＮＯと判断した後、または、ステップＳ１４の終了後、音声処理部１６は音声があるか否かを判断する（Ｓ１５）。音声がある場合とは、ステップＳ０７４でデコードされたＶＩＣＳ情報に音声による道路交通情報が含まれている場合、および、ステップＳ１０３により音声デコード部１３から音声データが出力されている場合の少なくとも一方の場合である。
【００７７】
音声処理部１６は、音声があると判断（Ｓ１５でＹＥＳ）した場合、音声デコード部１３により出力された音声データと、ＣＰＵ２により出力された道路交通情報の音声データを合成して音声出力装置１７へ出力する。音声処理部１６は、音声デコード部１３により出力された音声データ、および、道路交通情報の音声データいずれか一方しか入力されない場合は、入力されている音声データを音声出力装置１７へ出力する（Ｓ１６）。
【００７８】
音声処理部１６がステップＳ１６を実行した後、音声出力装置１７は音声処理部１６により出力された音声データに従って音を出力する（Ｓ１７）。なお、ステップＳ１４による映像の表示と、ステップＳ１７による音の出力とを同期させて出力する必要がある場合は、表示装置１９および音声出力装置１７は互いに同期をとりながら映像の表示および音の出力を行う。
【００７９】
以上、説明したとおり、本実施の形態における地上デジタル音声放送用受信機１は、ダウンコンバータ８が全ての物理チャンネルにて伝送されるＯＦＤＭ信号を中間周波数信号に変換し、ＯＦＤＭ復調部９がダウンコンバータ８により出力された中間周波数信号に含まれる全てのトランスポートストリームを復調する。また、フィルタ１０がＯＦＤＭ復調部９により復調された全てのトランスポートストリームから、利用者により選局された物理チャンネルにより伝送される第１のトランスポートストリームと、予め定められた物理チャンネルにより伝送されるＶＩＣＳ情報が多重された第２のトランスポートストリームとを選択する。第１のトランスポートストリームは音声データにデコードされ、音声データに従って音が出力される。また、第２のトランスポートストリームはＶＩＣＳ情報にデコードされ、ＶＩＣＳ情報に含まれる道路交通情報が音および映像により報知される。
【００８０】
以上のように、フィルタ１０が全てのトランスポートストリームから、利用者により選局された物理チャンネルにより伝送されるトランスポートストリームと、ＶＩＣＳ情報が多重されたトランスポートストリームとを選択するようにした。これにより、本発明は、利用者により選局された物理チャンネルとＶＩＣＳ情報が伝送される物理チャンネルとが異なるときでも、利用者により選局された物理チャンネルにて伝送された音声データ等とＶＩＣＳ情報とを同時に受信でき、利用者は音声データ等で表された番組を視聴できるだけでなく道路交通情報を音および映像により認識することができる。
【００８１】
音声処理部１６がステップＳ１５をＮＯと判断した場合、または、ステップＳ１７の終了後、ＣＰＵ２はステップＳ１８を実行する。ＣＰＵ２は電源がＯＦＦされていない（Ｓ１８でＮＯ）とき処理をステップＳ０２に戻す。電源がＯＦＦされたとき（Ｓ１８でＹＥＳ）、ＣＰＵ２は処理を終了させる。
【００８２】
なお、操作部６がＶＩＣＳ情報に含まれた道路交通情報を報知するように操作されていない場合、表示装置１９はステップＳ１４においてＶＩＣＳ情報に含まれる映像情報を表示せず、かつ、音声出力装置１７はステップＳ１７において音声による道路交通情報を出力しないようにすることができる。利用者は、操作部６を操作することでＶＩＣＳ情報を報知するか否かを決定することができる。
【００８３】
なお、ＶＩＣＳ情報が伝送される物理チャンネルがいずれの受信可能エリアおいても同一の周波数帯である場合は、スイッチ２１にＯＦＤＭ復調部９が出力する全てのトランスポートストリームが入力される必要はない。このとき、スイッチ２１は、ＯＦＤＭ復調部９が出力する全てのトランスポートストリームのうち、ＶＩＣＳ情報が多重されたトランスポートストリームのみが入力されるスイッチにすることができる。
【００８４】
なお、ＴＳデコード部１２およびＶＩＣＳデコード部１５が行う処理はＣＰＵ２により行うこともできる。
【００８５】
なお、ＯＦＤＭ復調部９、フィルタ１０、ＴＳデコード部１１、ＴＳデコード部１２、音声デコード部１３およびＶＩＣＳデコード部１５は、１つの集積回路で実現されることもできる。この集積回路には、ダウンコンバータ８により変換された中間周波数信号が入力され、集積回路の各部は前述したとおりに動作する。
【産業上の利用可能性】
【００８６】
以上のように、本発明にかかる地上デジタル音声放送用受信機は、利用者により選局された物理チャンネルとＶＩＣＳ情報が伝送される物理チャンネルとが異なるときでも、利用者により選局された物理チャンネルにて伝送された音声データ等とＶＩＣＳ情報とを同時に受信できるという効果を有する。例えば、本発明にかかる地上デジタル音声放送用受信機は、音声データ等とＶＩＣＳ情報とを同時に受信する地上デジタル音声放送用受信機等として有用である。
【図面の簡単な説明】
【００８７】
【図１】本発明の一実施の形態における地上デジタル音声放送の周波数の割り当てについての説明図
【図２】本発明の一実施の形態における地上デジタル音声放送の番組表を説明する図
【図３】本発明の一実施の形態における地上デジタル音声放送用受信機のブロック図
【図４】本発明の一実施の形態における受信可能エリアに関する説明図
【図５】本発明の一実施の形態におけるフィルタの回路構成図
【図６】本発明の一実施の形態における地上デジタル音声放送用受信機の動作説明のためのフロー図
【図７】本発明の一実施の形態におけるＶＩＣＳ情報の受信の動作説明のためのフロー図
【図８】本発明の一実施の形態における独自データのファイル種別の説明図
【図９】本発明の一実施の形態における音声データ等の受信の動作説明のためのフロー図
【符号の説明】
【００８８】
１    地上デジタル音声放送用受信機
２    ＣＰＵ
３    ＲＯＭ
４    ＲＡＭ
５    ＧＰＳ機器
６    操作部
７    アンテナ
８    ダウンコンバータ
９    ＯＦＤＭ復調部
１０    フィルタ
１１、１２    ＴＳデコード部
１３    音声デコード部
１４    映像デコード部
１５    ＶＩＣＳデコード部
１６    音声処理部
１７    音声出力装置
１８    提示処理部
１９    表示装置
２０、２１    スイッチ
【図１】
2009027672.tif 000003
【図２】
2009027672.tif 000004
【図３】
2009027672.tif 000005
【図４】
2009027672.tif 000006
【図５】
2009027672.tif 000007
【図６】
2009027672.tif 000008
【図７】
2009027672.tif 000009
【図８】
2009027672.tif 000010
【図９】
2009027672.tif 000011